(57)【要約】【課題】搬入が容易であり、内機の保護性能に優れた分電盤を提供する。【解決手段】分電盤１は、２本の柱フレーム６０及びそれらの双方の上部にそれぞれ連結されるトップフレーム６２を含むフレーム状の本体４と、左右のトップフレーム６２の下側において左右のトップフレーム６２にそれぞれ保持される板状のサイドパネル６と、本体４に保持される２組の配電ユニット１２と、を備えている。サイドパネル６は、柱フレーム６０と反対側（前側）からスライドすることにより、トップフレーム６２に装着される。【選択図】図４
2019187032.tif 000002
【特許請求の範囲】
【請求項１】
２本の柱フレーム及びそれらのうちの少なくとも一方の上部に連結されるトップフレームを含むフレーム状の本体と、
前記トップフレームの下側において前記トップフレーム及び前記柱フレームの少なくとも一方に保持される板状のサイドパネルと、
前記本体に保持される配電機器と、
を備えている
ことを特徴とする分電盤。
【請求項２】
前記サイドパネルは、前記柱フレームと反対側からスライドすることにより、前記トップフレーム及び前記柱フレームの少なくとも一方に装着される
ことを特徴とする請求項１に記載の分電盤。
【請求項３】
前記トップフレームの上側において前記トップフレーム及び前記柱フレームの少なくとも一方に保持される板状のトップカバーを備えている
ことを特徴とする請求項１又は請求項２に記載の分電盤。
【請求項４】
前記トップカバーは、リード線が通される切り欠きを有している
ことを特徴とする請求項３に記載の分電盤。
【請求項５】
各前記柱フレームの少なくとも一方と前記トップフレームとに固定される補強具を備えている
ことを特徴とする請求項１ないしは請求項４の何れかに記載の分電盤。
【請求項６】
前記補強具は、壁固定用のアンカーが通過可能であるアンカー孔を有している
ことを特徴とする請求項５に記載の分電盤。
【請求項７】
前記配電機器は、機器取り付けレールを介して、前記本体に保持されており、
前記補強具は、前記機器取り付けレールを取り付けるためのレール取り付け部を有している
ことを特徴とする請求項５又は請求項６に記載の分電盤。
【発明の詳細な説明】
【技術分野】
【０００１】
本発明は、配電機器（内機）が取り付けられる分電盤に関する。
【背景技術】
【０００２】
電気電子機器用フレーム式キャビネットとして、特許第５２６８７７５号公報（特許文献１）に記載のものが知られている。
このキャビネットは、縦フレームと横フレームと奥行きフレームとをコーナー部材に当接した状態で有していると共に、キャビネット底面のコーナー部材に設けられたアンカー取付部と重ねて地面又は床面に固定された底フレームを有している。
【先行技術文献】
【特許文献】
【０００３】
【特許文献１】特許第５２６８７７５号公報
【発明の概要】
【発明が解決しようとする課題】
【０００４】
上述のキャビネットでは、縦フレーム、横フレーム、奥行きフレーム、コーナー部材及び底フレームを設置箇所に搬入して組み立てることができ、箱型のキャビネットを搬入して設置する場合に比べて、搬入時の重量が軽く、１名でも搬入可能であり、搬入が狭い場所（パイプシャフト室あるいは電気室等）であっても簡単である。
しかし、電気電子機器は、縦フレーム、横フレーム、及び奥行きフレームの内方に取り付けられるため、周囲を囲むものがこれらのフレームしかなく、環境に対して露出した状態となっており、その保護に向上の余地がある。
【０００５】
本発明の主な目的は、搬入が容易であり、内機の保護性能に優れた分電盤を提供することである。
【課題を解決するための手段】
【０００６】
上記目的を達成するために、請求項１に記載の発明は、２本の柱フレーム及びそれらのうちの少なくとも一方の上部に連結されるトップフレームを含むフレーム状の本体と、
前記トップフレームの下側において前記トップフレーム及び前記柱フレームの少なくとも一方に保持される板状のサイドパネルと、前記本体に保持される配電機器と、を備えていることを特徴とするものである。
請求項２に記載の発明は、上記発明において、前記サイドパネルは、前記柱フレームと反対側からスライドすることにより、前記トップフレーム及び前記柱フレームの少なくとも一方に装着されることを特徴とするものである。
請求項３に記載の発明は、上記発明において、前記トップフレームの上側において前記トップフレーム及び前記柱フレームの少なくとも一方に保持される板状のトップカバーを備えていることを特徴とするものである。
請求項４に記載の発明は、上記発明において、前記トップカバーは、リード線が通される切り欠きを有していることを特徴とするものである。
請求項５に記載の発明は、上記発明において、各前記柱フレームの少なくとも一方と前記トップフレームとに固定される補強具を備えていることを特徴とするものである。
請求項６に記載の発明は、上記発明において、前記補強具は、壁固定用のアンカーが通過可能であるアンカー孔を有していることを特徴とするものである。
請求項７に記載の発明は、上記発明において、前記配電機器は、機器取り付けレールを介して、前記本体に保持されており、前記補強具は、前記機器取り付けレールを取り付けるためのレール取り付け部を有していることを特徴とするものである。
【発明の効果】
【０００７】
本発明の主な効果は、搬入が容易であり、内機の保護性能に優れた分電盤が提供されることである。
【図面の簡単な説明】
【０００８】
【図１】本発明に係る分電盤の斜視図である。
【図２】図１の開扉斜視図である。
【図３】図２の前面図である。
【図４】図２の一部分解斜視図である。
【図５】図２における内機ユニットの一部分解斜視図である。
【図６】図４における本体の左後部拡大図である。
【図７】図５における本体の左後部拡大図である。
【図８】図７における補強具の斜視図である。
【発明を実施するための形態】
【０００９】
以下、本発明に係る実施の形態及びその変更例が、適宜図面に基づいて説明される。尚、本発明は、下記の実施の形態及び変更例に限定されない。
【００１０】
図１は、本発明に係る分電盤１の斜視図である。図２は、図１の開扉斜視図である。図３は、図２の前面図である。図４は、図２の一部分解斜視図である。
分電盤１は、内機ユニット２と、フレーム状の本体４と、一対のサイドパネル６と、トップカバー８と、前カバー９（図１）と、を有する。
図３の上が分電盤１の上であり、図３の右が分電盤１の右である。尚、分電盤１の前後上下左右は、説明の便宜上定められたものであり、設置状況等により変化することがある。
【００１１】
図５は、内機ユニット２の一部分解斜視図である。
内機ユニット２は、左右一対で設けられておりそれぞれ上下に延びる内機ユニットレール１０と、それらの間における上下に取り付けられる２組の配電ユニット１２と、を備えている。
【００１２】
機器取り付けレールとしての各内機ユニットレール１０は、金属製であり、左右の各辺縁部が後方に曲げられた板状である。各内機ユニットレール１０には、複数のボルト孔が、上下方向に並ぶ状態で開けられている。各内機ユニットレール１０における上下の端部には、端辺から上下方向に延びる溝１１が形成されている。
尚、各内機ユニットレール１０は、上記以外の形状あるいは材質又は設置数とされても良い。又、ボルト孔の配置及び数の少なくとも一方は、上記以外のものであっても良く、他のボルト孔についても同様である。
【００１３】
各配電ユニット１２は、単相３線式の主幹ブレーカ２０（分電盤１の内部の機器としての内機である配電機器の一つ）と、複数の分岐ブレーカ着脱部（図示略）が形成された分岐ブレーカパネル２２（配電機器の別の一つ）と、を有する。尚、配電ユニット１２は、上下で異なる構成とされても良いし、１組あるいは３組以上設けられても良い。又、配電ユニット１２は、１つの配電機器で構成されていても良い。更に、各配電ユニット１２（内機自体）は、分電盤１の構成要素とされなくても良い。
【００１４】
各主幹ブレーカ２０は、その後部の上下に対してそれぞれボルト止めされた一対の主幹ブレーカ横レール３０を介して、各内機ユニットレール１０に取り付けられる。各主幹ブレーカ横レール３０は、金属製で、板状であり、左右方向に延びている。各主幹ブレーカ横レール３０の両端部には、左右方向の外方に突出する突出片３２が設けられている。各主幹ブレーカ横レール３０の上下各辺には、複数のボルト孔が、左右方向に並ぶ状態で開けられている。又、各突出片３２にも、ボルト孔が開けられている。各突出片３２のボルト孔は、内機ユニットレール１０に対するボルト止めに使用される。尚、各主幹ブレーカ２０のボルトによる取り付けは、ボルト止め以外の態様で行われても良く、他のボルトによる取り付け箇所についても、同様である。又、各主幹ブレーカ横レール３０は、上記以外の形状あるいは材質又は設置数とされても良い。
上の主幹ブレーカ２０の上端部に設けられた３個の端子には、それぞれ上主幹リード線３４が接続される。各上主幹リード線３４は、上方に配線される。尚、各上主幹リード線３４の配線先及びその側の部分の図示は、省略されており、他のリード線についても同様である。
同様に、下の主幹ブレーカ２０の上端部には、３本の下主幹リード線３６が接続される。各下主幹リード線３６は、上の配電ユニット１２を避けるように斜め側方（左方）に配線された後、左の内機ユニットレール１０の脇において上方に延びるように配線される。
【００１５】
各分岐ブレーカパネル２２は、樹脂製で、板状であり、四隅に、後方及び左右方向外側へ突出する脚部４０を有している。各脚部４０は、内機ユニットレール１０にボルト止めするためのボルト孔を有している。
各分岐ブレーカパネル２２の左右方向の中央には、それぞれ上下に延びており互いに絶縁された状態で前後方向に並べられた３本の銅バー４２が設けられている。
各銅バー４２の左右両側に、取り付け孔を有する分岐ブレーカ着脱部が上下に並べられている。
上の分岐ブレーカパネル２２の各分岐ブレーカ着脱部には、その取り付け孔に合致可能な爪を有する薄型分岐ブレーカ４４が、上下前後に広がる状態で装着されている。
下の分岐ブレーカパネル２２における複数（３箇所）の分岐ブレーカ着脱部の組には、それらの取り付け孔の何れかに合致可能な爪を有する分岐ブレーカ４６（薄型分岐ブレーカ４４の３倍の厚さ）が装着されている。
分岐ブレーカ４６の厚さは、薄型分岐ブレーカ４４の厚さの３倍程度となっている。装着された薄型分岐ブレーカ４４及び分岐ブレーカ４６は、各銅バー４２と接続されている。
尚、下の分岐ブレーカパネル２２に薄型分岐ブレーカ４４が装着されても良いし、上の分岐ブレーカパネル２２に分岐ブレーカ４６が装着されても良いし、各分岐ブレーカパネル２２において薄型分岐ブレーカ４４及び分岐ブレーカ４６が混在するように装着されても良い。又、薄型分岐ブレーカ４４及び分岐ブレーカ４６の少なくとも一方が使用されなくても良い。更に、各分岐ブレーカ着脱部の構成あるいは分岐ブレーカ着脱部に対する薄型分岐ブレーカ４４及び分岐ブレーカ４６の装着態様は、上述のものに限られない。又、各配電ユニット１２における主幹ブレーカ２０及び分岐ブレーカパネル２２の配置は、上述のような縦並びのものに限られない。
【００１６】
各銅バー４２の上端部と主幹ブレーカ２０の下部に設けられた３個の端子との間には、接続片４８が渡されている。各接続片４８により、各銅バー４２と主幹ブレーカ２０とが電気的に接続される。
装着された各薄型分岐ブレーカ４４及び各分岐ブレーカ４６における左右方向の外側からは、分岐リード線５０が２本又は３本ずつ引き出される。各分岐リード線５０は、下主幹リード線３６と同様に、左右方向外方に取り回された後、左又は右の内機ユニットレール１０の脇において上方に延びるように配線される。尚、図１及び図５において、各上主幹リード線３４及び各下主幹リード線３６並びに各分岐リード線５０は、省略されている。
【００１７】
本体４は、左右一対で設けられておりそれぞれ上下に延びる柱フレーム６０と、各柱フレーム６０の上端部から前方へ延びる左右一対のトップフレーム６２と、各柱フレーム６０の下端部から前方へ延びる一対の床フレーム６４と、各柱フレーム６０の上端部同士を、トップフレーム６２を介してつなぐ上桁フレーム６６と、各柱フレーム６０の下端部同士を、床フレーム６４を介してつなぐ下桁フレーム６８と、を有する。尚、上桁フレーム６６及び下桁フレーム６８の少なくとも一方は、直接柱フレーム６０に連結されていても良い。
各柱フレーム６０は、板金を箱状に折り曲げて形成される。各柱フレーム６０の前面部には、逆“Ｕ”字状に切り込まれた補助レール係止部７０が、複数、上下に並ぶように形成されており、各補助レール係止部７０の下側には、ボルト孔７１が形成されている。尚、各柱フレーム６０の材質及び形状の少なくとも一方は、金属あるいは箱形状から変更されても良く、他のフレーム並びにパネル及びカバーについても、同様に変更されても良い。
各補助レール係止部７０には、補助レール７２が係止可能である。各補助レール７２は、柱フレーム６０と同様に形成され、前後に延びる状態で、後端部が補助レール係止部７０における切り込み内方の舌片に掛けられ、又ボルト孔７１に対してボルト止めされる。各補助レール７２の内面には、図示されないフックを係止するための係止溝７４が、複数前後に並ぶように形成されている。フックは、各上主幹リード線３４、各下主幹リード線３６及び各分岐リード線５０の少なくとも何れかを保持する。尚、各補助レール７２の少なくとも一部は、省略されても良い。又、各補助レール７２は、各上主幹リード線３４、各下主幹リード線３６及び各分岐リード線５０以外の機器を保持しても良いし、機器を保持しなくても良い。更に、補助レール７２の固定の態様は、補助レール係止部７０における係止あるいはボルト止めの一方のみとされる等、様々に変更されても良い。
【００１８】
各トップフレーム６２は、柱フレーム６０と同様に形成され、上方に開放している。各トップフレーム６２の前面部には、上辺から下方への上スリット７６が形成されている。
各床フレーム６４は、柱フレーム６０と同様に形成される。各床フレーム６４の後部には、柱フレーム６０を挿入する凹部（図示略）が形成されている。
上桁フレーム６６は、柱フレーム６０と同様に形成され、トップフレーム６２の後端部に上から入っている。上桁フレーム６６は、トップフレーム６２の後端部に隣接する部分において、ボルト孔７８を備えている。
下桁フレーム６８は、柱フレーム６０と同様に形成され、その左右の端部は、柱フレーム６０の下端部及び床フレーム６４の後端部に入っている。
【００１９】
又、各柱フレーム６０と上桁フレーム６６とのコーナー部、及び各柱フレーム６０と下桁フレーム６８とのコーナー部には、それぞれ金属製の補強具８０が溶接されている。尚、補強具８０は，溶接以外の態様で固定されても良いし、金属以外で形成されても良い。又、補強具８０の一部又は全部は、省略されても良い。
図６は、図４における本体４の左後部拡大図である。図７は、図５における本体４の左後部拡大図である。図８は、補強具８０の斜視図である。以下、左上コーナー部の補強具８０が説明される。他のコーナー部の補強具８０は、向き及び対称性を除き、左上コーナー部の補強具８０と同様である。
補強具８０は、側面部と後面部と上面部とを有する半箱状部分と、上面部の前辺から上方に突出した突出片部とを有している。後面部には、アンカー孔８２が開けられている。突出片部は、左右方向の外側が内側よりも一層上方に突出するように形成されており、その外側部分の上部から前方に円柱状に突出する突起８４を有している。尚、補強具８０において、アンカー孔８２及び突起８４の少なくとも一方は、省略されても良い。
【００２０】
補強具８０の側面部は、柱フレーム６０の右面に溶接される。補強具８０の上面部は、上桁フレーム６６の下面に溶接される。補強具８０が、柱フレーム６０及び上桁フレーム６６に固定されることにより、柱フレーム６０と上桁フレーム６６とが連結され、本体４が補強される。尚、補強具８０は、柱フレーム６０とトップフレーム６２とに固定されても良いし、トップフレーム６２と上桁フレーム６６とに固定されても良いし、柱フレーム６０とトップフレーム６２と上桁フレーム６６とに固定されても良い。
又、アンカー孔８２に対し、壁に固定されるアンカー（図示略）が通されることにより、補強具８０が壁に対する固定部となる。
更に、各突起８４には、内機ユニットレール１０の対応する溝１１が入れられ（レール取り付け部）、内機ユニット２が取り付けられる。補強具８０は、内機ユニット２の取り付け部となる。
【００２１】
又、各床フレーム６４と下桁フレーム６８とは、棒状であり斜めに渡されるブレース８８でつながれている。尚、ブレース８８は、省略されても良い。
【００２２】
各サイドパネル６は、前後上下に広がる矩形の板金である。
各サイドパネル６の各端辺部には、左右方向の内方及び前後（上下）方向の内方に折り曲げられた折り返し部が形成されている。各サイドパネル６の上辺部の折り返し部（上下前後に広がる部分）は、対応する上スリット７６を通り、トップフレーム６２内に入っている。
各サイドパネル６の上辺部の折り返し部が対応するトップフレーム６２に支持されると共に、前辺部の折り返し部の上端部に開けられたボルト孔とトップフレーム６２の前面部に開けられたボルト孔とに共通のボルト（図示略）が通されることで、各サイドパネル６が本体４に保持される。尚、各サイドパネル６の少なくとも一方は、柱フレーム６０に支持されても良く、柱フレーム６０及びトップフレーム６２に支持されても良く、トップフレーム６２及び床フレーム６４に支持されても良い。
各サイドパネル６は、上辺部の折り返し部の後端部を対応する上スリット７６に入れた状態で、前方から後方に移動され、上辺部の折り返し部の前端部が上スリット７６内に配置されることにより、本体４に対する前側（柱フレーム６０と反対側）からのスライド装着が可能となっている。尚、サイドパネル６において軸周りで回転可能な滑車が１個以上設けられると共に、トップフレーム６２の上面において前後方向に延びるレールが設けられ、滑車がレール状を走行することで、サイドパネル６がスライド装着されるようにする等、スライド装着の態様は、様々に変更されても良い。
各サイドパネル６の内側には、補助レール７２が位置している。
【００２３】
トップカバー８は、前辺部においてサイドパネル６と同様に折り返し部を有する板金であり、左右の辺部において、下方に折れ曲がって形成された折れ曲がり片部を有している。
トップカバー８の後部には、各上主幹リード線３４、各下主幹リード線３６及び各分岐リード線５０を通すための切り欠き９０が設けられている。尚、トップカバー８において切り欠き９０が複数設けられあるいは省略されても良いし、少なくとも一方のサイドパネル６において配線用の切り欠きが設けられても良い。又、各上主幹リード線３４、各下主幹リード線３６及び各分岐リード線５０の少なくとも一部を覆う配線カバーが設けられても良い。
トップカバー８は、左右の折れ曲がり片部が対応する上スリット７６に入ることで位置決めされ、トップフレーム６２に載せられることで本体４に保持される。尚、トップカバー８は、上桁フレーム６６のボルト孔７８においてボルト止めされても良い。又、トップカバー８は、サイドパネル６と同様に、スライド装着可能とされても良い。
【００２４】
前カバー９は、板状であり、サイドパネル６の前辺部の折り返し部間において保持されている。尚、前カバー９は、蝶番を介してサイドパネル６に固定され、前扉とされても良い。
前カバー９は、各主幹ブレーカ２０並びに各薄型分岐ブレーカ４４及び各分岐ブレーカ４６のそれぞれの前方の部分において、それらの操作部を露出させるための透孔を有している。尚、各透孔の形状あるいは大きさは、図示のものから変更されても良いし、各透孔の少なくとも一部は、省略されても良い。
各サイドパネル６、トップカバー８及び前カバー９により、内機ユニット２が粉塵あるいは光線等から保護される。
【００２５】
かような分電盤１の設置作業及びメンテナンス作業の例が、以下に説明される。
作業者は、内機ユニット２に係る各種の機器及び内機ユニットレール１０と、本体４と、各サイドパネル６と、トップカバー８と、前カバー９とを設置箇所に運ぶ。本体４は、フレーム状であるため、箱状である場合に比べて軽く、１人で運搬可能であるし、狭い設置箇所に搬入し易い。尚、本体４の形態では大き過ぎたり重過ぎたりする場合には、柱フレーム６０を始めとする各種のフレーム毎に搬入し、設置箇所で本体４を形成すれば良い。
次に、作業者は、アンカー孔８２にアンカーを入れて、本体４を設置箇所の壁に固定する。
続いて、作業者は、溝１１に突起８４を入れて、内機ユニットレール１０を本体４に取り付け、適宜配線を施しながら、内機ユニット２に係る各種の機器を内機ユニットレール１０に組み付ける。本体４はフレーム状であるから、箱状である場合に比べて、作業の邪魔になる部分が少なく、作業者は、機器の組み付け及び配線を一層容易に行える。
そして、作業者は、サイドパネル６を、それぞれ前方からスライドさせて、本体４に装着する。サイドパネル６は、前方からスライドにより装着可能であるから、設置箇所が狭く、左右にスペースがなかったとしても、本体４に取り付けることができる。
更に、作業者は、トップカバー８及び前カバー９を、本体４に装着し、設置作業を完了する。
又、作業者は、機器の追加あるいは取り替えといったメンテナンス作業時には、適宜前カバー９、トップカバー８及び各サイドパネル６の少なくとも何れかを取り外して、作業のし易さを向上することができる。又、作業者は、内機ユニットレール１０を本体４から取り外して、内機ユニット２によりアクセスし易い状態とすることも可能である。
【００２６】
以上の分電盤１は、２本の柱フレーム６０及びそれらの双方の上部にそれぞれ連結されるトップフレーム６２を含むフレーム状の本体４と、左右のトップフレーム６２の下側において左右のトップフレーム６２にそれぞれ保持される板状のサイドパネル６と、本体４に保持される２組の配電ユニット１２と、を備えている。
よって、本体４とサイドパネル６とを分けて運搬することで搬入が容易であり、サイドパネル６を取り外すことで作業が容易であり、サイドパネル６を取り付けることで配電ユニット１２の保護性能に優れた分電盤１が提供される。又、フレーム構造の本体４にサイドパネル６が装着されるため、外力に対してサイドパネル６で補強された本体４で十分に抵抗することができ、堅牢な分電盤１が提供される。
【００２７】
又、サイドパネル６は、柱フレーム６０と反対側（前側）からスライドすることにより、トップフレーム６２に装着される。よって、左右にスペースが少ないような狭い場所であっても、サイドパネル６が容易に装着される。
更に、分電盤１は、トップフレーム６２の上側において、トップフレーム６２及び柱フレーム６０の双方に保持される板状のトップカバー８を備えている。よって、分電盤１が、より保護性能に優れたものとなるし、より頑丈になる。
又更に、トップカバー８は、各上主幹リード線３４、各下主幹リード線３６及び各分岐リード線５０が通される切り欠き９０を有している。よって、各上主幹リード線３４、各下主幹リード線３６及び各分岐リード線５０が配置し易くなり、配電ユニット１２が設置し易くなる。
【００２８】
加えて、分電盤１は、各柱フレーム６０とトップフレーム６２とに固定される補強具８０を備えている。よって、各柱フレーム６０とトップフレーム６２とがより強固に連結され、本体４ひいては分電盤１がより丈夫になる。
又、補強具８０は、壁固定用のアンカーが通過可能であるアンカー孔８２を有している。よって、分電盤１を壁に固定するためのアンカー孔８２が、本体４を補強する補強具８０に設けられ、部品点数を増やさずにアンカー孔８２が設けられる。
又、配電ユニット１２は、内機ユニットレール１０を介して、本体４に保持されており、補強具８０は、内機ユニットレール１０を取り付けるための突起８４を有している。よって、本体４を補強する補強具８０に、内機ユニットレール１０を取り付けるための突起８４が設けられ、部品点数を増やさずに内機ユニット２の取り付け構造が設けられる。
【００２９】
尚、分電盤１は、更に次のような変更例を適宜有する。
即ち、分電盤１は、各柱フレーム６０がトップフレーム６２又は上桁フレーム６６より短いような横長のものであっても良い。
又、配電機器以外の電子機器も搭載可能として、分電盤１が電子機器収納箱とされても良い。
【符号の説明】
【００３０】
１・・分電盤、２・・内機ユニットレール、４・・本体、６・・サイドパネル、８・・トップカバー、１０・・内機ユニットレール（機器取り付けレール）、１２・・配電ユニット（配電機器）、３４・・上主幹リード線（リード線）、３６・・下主幹リード線（リード線）、５０・・分岐リード線（リード線）、６０・・柱フレーム、６２・・トップフレーム、８０・・補強具、８２・・アンカー孔、８４・・突起（レール取り付け部）、９０・・切り欠き。
【図１】
2019187032.tif 000003
【図２】
2019187032.tif 000004
【図３】
2019187032.tif 000005
【図４】
2019187032.tif 000006
【図５】
2019187032.tif 000007
【図６】
2019187032.tif 000008
【図７】
2019187032.tif 000009
【図８】
2019187032.tif 000010